(57)【要約】【課題】  より早いタイミングで、ユーザが表示部に表示される文章データを読むべきか否かを判断することができるウェアラブル携帯型表示装置、頭部装着型表示装置、表示処理システム及びプログラム等の提供。【解決手段】  ウェアラブル携帯型表示装置は、文章データを表示する表示部１１０と、文章データの一部の文字又は単語について表示属性の変更処理を行う表示属性変更処理部１９０と、一部の文字又は単語の表示属性が変更された文章データを表示部１１０に表示する制御を行う表示制御部１２０と、を含む。【選択図】      図１
2014056217.tif 000002
【特許請求の範囲】
【請求項１】
文章データを表示する表示部と、
前記文章データの一部の文字又は単語について表示属性の変更処理を行う表示属性変更処理部と、
前記一部の文字又は単語の前記表示属性が変更された前記文章データを前記表示部に表示する制御を行う表示制御部と、
を含むことを特徴とするウェアラブル携帯型表示装置。
【請求項２】
請求項１において、
前記表示属性変更処理部は、
前記文章データの一部の文字又は単語である前記文章データの先頭から所定数の文字又は単語について、フォントサイズの変更処理を行うことを特徴とするウェアラブル携帯型表示装置。
【請求項３】
請求項１又は２において、
前記表示属性変更処理部は、
前記文章データのうちの第１の文字又は第１の単語を第１の表示属性に設定し、前記文章データのうちの前記第１の文字と異なる第２の文字又は前記第１の単語と異なる第２の単語を、前記第１の表示属性と異なる第２の表示属性に設定する前記表示属性の前記変更処理を行うことを特徴とするウェアラブル携帯型表示装置。
【請求項４】
請求項１乃至３のいずれかにおいて、
前記表示属性変更処理部は、
前記文章データのうちの一文字に対して、フォントサイズの変更処理を行うことを特徴とするウェアラブル携帯型表示装置。
【請求項５】
請求項１乃至４のいずれかにおいて、
前記表示属性変更処理部は、
前記文章データのうちの第１の文字又は第１の単語を第１のフォントサイズに設定し、前記文章データのうちの前記第１の文字より後ろの第２の文字又は前記第１の単語より後ろの第２の単語を、前記第１のフォントサイズよりも小さい第２のフォントサイズに設定する前記表示属性の前記変更処理を行うことを特徴とするウェアラブル携帯型表示装置。
【請求項６】
請求項１乃至５のいずれかにおいて、
前記表示属性変更処理部は、
前記文章データの文頭から文末に行くに従い、フォントサイズが小さくなるように前記表示属性の前記変更処理を行うことを特徴とするウェアラブル携帯型表示装置。
【請求項７】
請求項１乃至６のいずれかにおいて、
前記表示属性変更処理部は、
前記文章データに含まれる文字又は単語を前記表示制御部が前記表示部に表示する場合には、表示される前記文字又は前記単語について前記表示属性の前記変更処理を行い、
前記文章データに含まれる特定の約物を前記表示制御部が前記表示部に表示する場合には、表示される前記特定の約物について前記表示属性の前記変更処理を行わないことを特徴とするウェアラブル携帯型表示装置。
【請求項８】
請求項１乃至７のいずれかにおいて、
ウェアラブル携帯型表示装置の外部から前記文章データの文字又は単語の属性設定情報を取得する情報取得部を含み、
前記表示属性変更処理部は、
取得された前記属性設定情報に基づいて、前記文章データの文字又は単語について前記表示属性の前記変更処理を行うことを特徴とするウェアラブル携帯型表示装置。
【請求項９】
請求項８において、
前記情報取得部により取得された前記属性設定情報を記憶する属性設定情報記憶部を含み、
前記情報取得部は、
前記文章データに関連付けられた前記属性設定情報の識別子を取得し、
前記表示属性変更処理部は、
取得された前記識別子に関連付けられた前記属性設定情報に基づいて、前記文章データについて前記表示属性の前記変更処理を行うことを特徴とするウェアラブル携帯型表示装置。
【請求項１０】
請求項１乃至７のいずれかにおいて、
前記文章データの文字又は単語の第１の属性設定情報と、前記第１の属性設定情報と異なる第２の属性設定情報とを記憶する属性設定情報記憶部を含み、
前記表示属性変更処理部は、
所定のタイミングまでは、前記第１の属性設定情報に基づいて前記文章データについて前記表示属性の前記変更処理を行い、前記所定のタイミング以降は、前記第２の属性設定情報に基づいて前記文章データについて前記表示属性の前記変更処理を行うことを特徴とするウェアラブル携帯型表示装置。
【請求項１１】
請求項１乃至７のいずれかにおいて、
前記表示部の表示領域よりも小さい領域であって、前記文章データの文字又は単語の属性設定情報が関連付けられている部分領域を前記表示領域に設定する部分領域設定部を含み、
前記表示属性変更処理部は、
前記部分領域に関連付けられた前記属性設定情報に基づいて、前記文章データについて前記表示属性の前記変更処理を行うことを特徴とするウェアラブル携帯型表示装置。
【請求項１２】
請求項１１において、
ユーザの体の動きを表すモーションセンサー信号をモーションセンサーから取得するモーションセンサー信号取得部を含み、
前記部分領域設定部は、
取得された前記モーションセンサー信号に基づいて、前記表示領域における前記部分領域の位置及び大きさのうち、少なくとも一方を設定することを特徴とするウェアラブル携帯型表示装置。
【請求項１３】
請求項１１又は１２において、
前記表示属性変更処理部は、
所与のタイミングまでは、前記部分領域に関連付けられた前記属性設定情報を用いて、前記文章データについて前記表示属性の前記変更処理を行い、前記所与のタイミング以降は、前記部分領域に関連付けられた前記属性設定情報を用いて、前記文章データについて前記表示属性の前記変更処理を行わないことを特徴とするウェアラブル携帯型表示装置。
【請求項１４】
請求項１１乃至１３のいずれかにおいて、
前記表示属性変更処理部は、
前記表示領域に表示される文字又は単語に対して判定領域を設定し、前記判定領域と前記部分領域との間に重複領域が存在するか否かを判定し、前記重複領域が存在すると判定した場合には、前記判定領域と重複すると判定された前記部分領域に関連付けられた前記属性設定情報に基づいて前記表示属性の前記変更処理を行い、
前記表示制御部は、
前記判定領域に対応する文字又は単語を前記表示部に表示することを特徴とするウェアラブル携帯型表示装置。
【請求項１５】
請求項１４において、
前記表示属性変更処理部は、
前記文章データに含まれる文字又は単語を前記表示部にスクロール表示させ、スクロール表示される文字又は単語に対して設定された前記判定領域と前記部分領域との間に前記重複領域が存在すると判定した場合に、前記判定領域と重複すると判定された前記部分領域に関連付けられた前記属性設定情報に基づいて前記表示属性の前記変更処理を行うことを特徴とするウェアラブル携帯型表示装置。
【請求項１６】
請求項１５において、
前記表示属性変更処理部は、
文字又は単語の第１の属性設定情報が関連付けられた第１の部分領域と、文字又は単語の第２の属性設定情報が関連付けられた第２の部分領域とが前記表示領域に設定されている場合に、
前記判定領域が、前記第１の部分領域とは重複し、前記第２の部分領域とは重複しない場合には、前記第１の属性設定情報に基づいて前記文章データについて前記表示属性の前記変更処理を行い、
前記判定領域が、前記第１の部分領域と重複し、前記第２の部分領域とも重複する場合には、前記第２の属性設定情報に基づいて前記文章データについて前記表示属性の前記変更処理を行うことを特徴とするウェアラブル携帯型表示装置。
【請求項１７】
請求項１４において、
前記表示属性変更処理部は、
文字又は単語の第１の属性設定情報が関連付けられた第１の部分領域と、文字又は単語の第２の属性設定情報が関連付けられた第２の部分領域とが前記表示領域に設定されている場合に、
前記判定領域と前記第１の部分領域とが重複する第１の重複領域が、前記判定領域と前記第２の部分領域とが重複する第２の重複領域よりも大きいと判定した場合には、前記第１の属性設定情報に基づいて前記文章データについて前記表示属性の前記変更処理を行い、
前記第２の重複領域が前記１の重複領域よりも大きいと判定した場合には、前記第２の属性設定情報に基づいて前記文章データについて前記表示属性の前記変更処理を行うことを特徴とするウェアラブル携帯型表示装置。
【請求項１８】
請求項１４乃至１７のいずれかにおいて、
前記表示属性変更処理部は、
前記属性設定情報に基づいて前記文章データに含まれる文字又は単語のフォントサイズを拡大する場合には、前記フォントサイズを拡大した文字又は単語に対応する前記判定領域を拡大し、拡大した前記判定領域と前記部分領域との間に重複領域が存在するか否かを判定することを特徴とするウェアラブル携帯型表示装置。
【請求項１９】
請求項８乃至１８のいずれかにおいて、
前記表示属性変更処理部は、
フォントサイズ、文字の色、文字の太さ又はフォントタイプを表す前記属性設定情報に基づいて、前記文章データについて前記表示属性の前記変更処理を行うことを特徴とするウェアラブル携帯型表示装置。
【請求項２０】
請求項１乃至１９のいずれかにおいて、
前記表示制御部は、
所定タイミングまでは、前記文章データに含まれる文字又は単語をスクロールせずに前記表示部に表示し、前記所定タイミング以降に前記文章データに含まれる文字又は単語のスクロール表示を開始することを特徴とするウェアラブル携帯型表示装置。
【請求項２１】
請求項１乃至２０のいずれかにおいて、
前記表示部は、
前記文章データを外界視野と重畳して表示することを特徴とするウェアラブル携帯型表示装置。
【請求項２２】
請求項１乃至２１のいずれかにおいて、
頭部装着型のウェアラブル携帯型表示装置であることを特徴とする頭部装着型表示装置。
【請求項２３】
ウェアラブル携帯型表示装置と、
前記ウェアラブル携帯型表示装置と通信接続される端末装置と、
を含み、
前記ウェアラブル携帯型表示装置は、
第１の文章データを表示する第１の表示部と、
前記第１の文章データの一部の文字又は単語について表示属性の変更処理を行う表示属性変更処理部と、
前記第１の文章データを前記第１の表示部に表示する第１の表示制御部と、
を有し、
前記端末装置は、
第２の文章データを表示する第２の表示部と、
前記第２の文章データを前記第２の表示部に表示する第２の表示制御部と、
を有し、
前記ウェアラブル携帯型表示装置又は前記端末装置は、
ユーザにより入力される操作情報を取得するユーザ操作情報取得部を有し、
前記第１の表示制御部は、
前記一部の文字又は単語の前記表示属性が変更された前記第１の文章データを前記第１の表示部に表示する制御を行い、
前記第２の表示制御部は、
前記第１の表示部に表示された前記第１の文章データに関連付けられた前記第２の文章データの表示指示を表す前記操作情報を、前記ユーザ操作情報取得部が取得した場合に、前記第２の文章データを前記第２の表示部に表示する制御を行うことを特徴とする表示処理システム。
【請求項２４】
文章データを表示する表示部と、
前記文章データの一部の文字又は単語について表示属性の変更処理を行う表示属性変更処理部と、
前記一部の文字又は単語の前記表示属性が変更された前記文章データを前記表示部に表示する制御を行う表示制御部として、
ウェアラブル携帯型表示装置を機能させることを特徴とするプログラム。
【発明の詳細な説明】
【技術分野】
【０００１】
本発明は、ウェアラブル携帯型表示装置、頭部装着型表示装置、表示処理システム及びプログラム等に関係する。
【背景技術】
【０００２】
近年、ミニブログの利用者（ユーザ）が急速に増加している。そして、これらのミニブログのユーザは、携帯型の情報端末装置から、ミニブログに投稿された文章を読むことが多くなってきている。デスクトップＰＣ（Personal Computer）やノートＰＣの表示部（ディスプレイ）と比べて、携帯型の情報端末装置の表示部は表示領域が小さい場合がほとんどであるため、ユーザが文章を読みやすいように文字を表示することが望ましい。
【０００３】
さらに、携帯型の情報端末装置としてＨＭＤ（Head Mounted Display：ヘッドマウントディスプレイ、頭部装着型表示装置）を用いることも考案されている。ＨＭＤに文章等を表示する場合にもユーザが読みやすいように表示制御を行うことが望ましい。例えば特許文献１では、そのような表示制御の一つとして、所定の条件を満たすＭＴＦ（Modulation Transfer Function）特性を有する表示位置を評価し、ユーザが判読しやすい文字位置と文字サイズを決定する表示制御を行う発明が開示されている。
【先行技術文献】
【特許文献】
【０００４】
【特許文献１】特開２００７−１４２５４２号公報
【発明の概要】
【発明が解決しようとする課題】
【０００５】
ＨＭＤに表示された文章データをユーザが確実に識別するためには、文字の視認性の高さが重要となる。また、表示領域が比較的狭いＨＭＤにおいては、表示領域を効率的に使用する工夫が必要となる。そのため、表示装置としてＨＭＤを用いる場合には、前述した特許文献１において開示されるような表示制御を行うことが考えられる。
【０００６】
しかし、外界視野と文字を重畳して表示部に表示するＨＭＤは、例えばユーザが街中にいる場合やユーザが移動中である場合にも用いられることが多いと考えられる。そのため、ユーザは、表示される文章データだけでなく、外界にも意識を向ける必要があり、文章データにいつまでも意識を向けておくことはできない。
【０００７】
したがって、できるだけ早いタイミングで、表示部に表示された文章データの内容をユーザが把握できることが望ましい。また、文章データが長く、すぐに文章データ全体の内容を把握できない場合であっても、ユーザが今読むべき情報であるか否かをできるだけ早いタイミングで判別できれば良い。
【０００８】
本発明の幾つかの態様によれば、より早いタイミングで、ユーザが表示部に表示される文章データを読むべきか否かを判断することができるウェアラブル携帯型表示装置、頭部装着型表示装置、表示処理システム及びプログラム等を提供することができる。
【課題を解決するための手段】
【０００９】
本発明の一態様は、文章データを表示する表示部と、前記文章データの一部の文字又は単語について表示属性の変更処理を行う表示属性変更処理部と、前記一部の文字又は単語の前記表示属性が変更された前記文章データを前記表示部に表示する制御を行う表示制御部と、を含むウェアラブル携帯型表示装置に関係する。
【００１０】
本発明の一態様では、表示属性変更処理部が、文章データの一部の文字又は単語の表示属性を変更し、表示制御部が、一部の文字又は単語の表示属性が変更された文章データを表示部に表示する。
【００１１】
これにより、ユーザは、表示属性を変更された文章データの一部の文字又は単語を、より容易に識別することができるようになる。
【００１２】
また、本発明の一態様では、前記表示属性変更処理部は、前記文章データの一部の文字又は単語である前記文章データの先頭から所定数の文字又は単語について、フォントサイズの変更処理を行ってもよい。
【００１３】
これにより、より早いタイミングで、ユーザが表示部に表示される文章データを今読むべきか否か判別すること等が可能になる。
【００１４】
また、本発明の一態様では、前記表示属性変更処理部は、前記文章データのうちの第１の文字又は第１の単語を第１の表示属性に設定し、前記文章データのうちの前記第１の文字と異なる第２の文字又は前記第１の単語と異なる第２の単語を、前記第１の表示属性と異なる第２の表示属性に設定する前記表示属性の前記変更処理を行ってもよい。
【００１５】
これにより、文章データのうちの少なくとも二つの文字の表示属性を変えること等が可能になる。
【００１６】
また、本発明の一態様では、前記表示属性変更処理部は、前記文章データのうちの一文字に対して、フォントサイズの変更処理を行ってもよい。
【００１７】
これにより、例えば文章データの中で、その文章データの内容を端的に表す一文字の表示属性を変更すること等が可能になる。
【００１８】
また、本発明の一態様では、前記表示属性変更処理部は、前記文章データのうちの第１の文字又は第１の単語を第１のフォントサイズに設定し、前記文章データのうちの前記第１の文字より後ろの第２の文字又は前記第１の単語より後ろの第２の単語を、前記第１のフォントサイズよりも小さい第２のフォントサイズに設定する前記表示属性の前記変更処理を行ってもよい。
【００１９】
これにより、より早いタイミングで、ユーザが文章全体の内容を推測したり、今すぐに読むべき情報か否かを判断することを、より容易にすること等が可能になる。
【００２０】
また、本発明の一態様では、前記表示属性変更処理部は、前記文章データの文頭から文末に行くに従い、フォントサイズが小さくなるように前記表示属性の前記変更処理を行ってもよい。
【００２１】
これにより、表示部に表示される文字に対して、ユーザの注意をいつまでも向けさせないこと等が可能になる。
【００２２】
また、本発明の一態様では、前記表示属性変更処理部は、前記文章データに含まれる文字又は単語を前記表示制御部が前記表示部に表示する場合には、表示される前記文字又は前記単語について前記表示属性の前記変更処理を行い、前記文章データに含まれる特定の約物を前記表示制御部が前記表示部に表示する場合には、表示される前記特定の約物について前記表示属性の前記変更処理を行わなくてもよい。
【００２３】
これにより、文章全体の意味を表すことが少ない特定の約物を強調せずに表示することができ、文章全体の意味を表す文字又は単語を相対的により強調して表示すること等が可能になる。
【００２４】
また、本発明の一態様では、ウェアラブル携帯型表示装置の外部から前記文章データの文字又は単語の属性設定情報を取得する情報取得部を含み、前記表示属性変更処理部は、取得された前記属性設定情報に基づいて、前記文章データの文字又は単語について前記表示属性の前記変更処理を行ってもよい。
【００２５】
これにより、文章データの文字又は単語の表示属性を、使用する属性設定情報により変更すること等が可能になる。
【００２６】
また、本発明の一態様では、前記情報取得部により取得された前記属性設定情報を記憶する属性設定情報記憶部を含み、前記情報取得部は、前記文章データに関連付けられた前記属性設定情報の識別子を取得し、前記表示属性変更処理部は、取得された前記識別子に関連付けられた前記属性設定情報に基づいて、前記文章データについて前記表示属性の前記変更処理を行ってもよい。
【００２７】
これにより、文章データを表示する度に、逐一、属性設定情報を取得する必要がなくなり、ウェアラブル携帯型表示装置と外部機器との通信量の削減を図ること等が可能になる。
【００２８】
また、本発明の一態様では、前記文章データの文字又は単語の第１の属性設定情報と、前記第１の属性設定情報と異なる第２の属性設定情報とを記憶する属性設定情報記憶部を含み、前記表示属性変更処理部は、所定のタイミングまでは、前記第１の属性設定情報に基づいて前記文章データについて前記表示属性の前記変更処理を行い、前記所定のタイミング以降は、前記第２の属性設定情報に基づいて前記文章データについて前記表示属性の前記変更処理を行ってもよい。
【００２９】
これにより、時間経過に伴って、同一の文字に対する表示属性を変更すること等が可能になる。
【００３０】
また、本発明の一態様では、前記表示部の表示領域よりも小さい領域であって、前記文章データの文字又は単語の属性設定情報が関連付けられている部分領域を前記表示領域に設定する部分領域設定部を含み、前記表示属性変更処理部は、前記部分領域に関連付けられた前記属性設定情報に基づいて、前記文章データについて前記表示属性の前記変更処理を行ってもよい。
【００３１】
これにより、例えば、文章データの文字の表示位置が、ある部分領域内の所定の位置である場合に、その部分領域に関連付けられた属性設定情報に基づいて、文字の表示属性を変更すること等が可能になる。
【００３２】
また、本発明の一態様では、ユーザの体の動きを表すモーションセンサー信号をモーションセンサーから取得するモーションセンサー信号取得部を含み、前記部分領域設定部は、取得された前記モーションセンサー信号に基づいて、前記表示領域における前記部分領域の位置及び大きさのうち、少なくとも一方を設定してもよい。
【００３３】
これにより、ユーザは、表示属性を変更したい文字又は表示領域の一部の領域を、頭部を動かすことにより指定すること等が可能になる。
【００３４】
また、本発明の一態様では、前記表示属性変更処理部は、所与のタイミングまでは、前記部分領域に関連付けられた前記属性設定情報を用いて、前記文章データについて前記表示属性の前記変更処理を行い、前記所与のタイミング以降は、前記部分領域に関連付けられた前記属性設定情報を用いて、前記文章データについて前記表示属性の前記変更処理を行わなくてもよい。
【００３５】
これにより、所定のタイミング以降は文字の表示属性を変更せず、文字の強調表示を中止すること等が可能になる。
【００３６】
また、本発明の一態様では、前記表示属性変更処理部は、前記表示領域に表示される文字又は単語に対して判定領域を設定し、前記判定領域と前記部分領域との間に重複領域が存在するか否かを判定し、前記重複領域が存在すると判定した場合には、前記判定領域と重複すると判定された前記部分領域に関連付けられた前記属性設定情報に基づいて前記表示属性の前記変更処理を行い、前記表示制御部は、前記判定領域に対応する文字又は単語を前記表示部に表示してもよい。
【００３７】
これにより、処理量を削減しながら、どの文字又はどの単語に対しても、同様の方法で、どの部分領域に関連付けられた属性設定情報を用いるか判定すること等が可能になる。
【００３８】
また、本発明の一態様では、前記表示属性変更処理部は、前記文章データに含まれる文字又は単語を前記表示部にスクロール表示させ、スクロール表示される文字又は単語に対して設定された前記判定領域と前記部分領域との間に前記重複領域が存在すると判定した場合に、前記判定領域と重複すると判定された前記部分領域に関連付けられた前記属性設定情報に基づいて前記表示属性の前記変更処理を行ってもよい。
【００３９】
これにより、一度に表示領域に表示しきれない文章データに対しても、重複領域が存在するか否かを判定して、表示属性を変更すること等が可能になる。
【００４０】
また、本発明の一態様では、前記表示属性変更処理部は、文字又は単語の第１の属性設定情報が関連付けられた第１の部分領域と、文字又は単語の第２の属性設定情報が関連付けられた第２の部分領域とが前記表示領域に設定されている場合に、前記判定領域が、前記第１の部分領域とは重複し、前記第２の部分領域とは重複しない場合には、前記第１の属性設定情報に基づいて前記文章データについて前記表示属性の前記変更処理を行い、前記判定領域が、前記第１の部分領域と重複し、前記第２の部分領域とも重複する場合には、前記第２の属性設定情報に基づいて前記文章データについて前記表示属性の前記変更処理を行ってもよい。
【００４１】
これにより、スクロールされて、新たに部分領域と判定領域が重複するようになった場合に、新たに重複した部分領域に関連付けられた属性設定情報を用いて、表示属性を変更すること等が可能になる。
【００４２】
また、本発明の一態様では、前記表示属性変更処理部は、文字又は単語の第１の属性設定情報が関連付けられた第１の部分領域と、文字又は単語の第２の属性設定情報が関連付けられた第２の部分領域とが前記表示領域に設定されている場合に、前記判定領域と前記第１の部分領域とが重複する第１の重複領域が、前記判定領域と前記第２の部分領域とが重複する第２の重複領域よりも大きいと判定した場合には、前記第１の属性設定情報に基づいて前記文章データについて前記表示属性の前記変更処理を行い、前記第２の重複領域が前記１の重複領域よりも大きいと判定した場合には、前記第２の属性設定情報に基づいて前記文章データについて前記表示属性の前記変更処理を行ってもよい。
【００４３】
これにより、判定領域との間で重複領域がより大きい部分領域に関連付けられた属性設定情報を用いて、表示属性を変更すること等が可能になる。
【００４４】
また、本発明の一態様では、前記表示属性変更処理部は、前記属性設定情報に基づいて前記文章データに含まれる文字又は単語のフォントサイズを拡大する場合には、前記フォントサイズを拡大した文字又は単語に対応する前記判定領域を拡大し、拡大した前記判定領域と前記部分領域との間に重複領域が存在するか否かを判定してもよい。
【００４５】
これにより、文字又は単語の表示属性を変更するタイミングを、表示される文字の見た目から推測されるタイミングと一致させること等が可能になる。
【００４６】
また、本発明の一態様では、前記表示属性変更処理部は、フォントサイズ、文字の色、文字の太さ又はフォントタイプを表す前記属性設定情報に基づいて、前記文章データについて前記表示属性の前記変更処理を行ってもよい。
【００４７】
これにより、文章データの文字のフォントサイズ、文字の色、文字の太さ又はフォントタイプを変更すること等が可能になる。
【００４８】
また、本発明の一態様では、前記表示制御部は、所定タイミングまでは、前記文章データに含まれる文字又は単語をスクロール表示せずに前記表示部に表示し、前記所定タイミング以降に前記文章データに含まれる文字又は単語のスクロール表示を開始してもよい。
【００４９】
これにより、例えば、文章データの文頭部分を長く表示すること等が可能になる。
【００５０】
また、本発明の一態様では、前記表示部は、前記文章データを外界視野と重畳して表示してもよい。
【００５１】
これにより、ユーザは、文章データと外界のうち、注意して見る対象を素早く切り替えること等が可能になる。
【００５２】
また、本発明の一態様は、頭部装着型のウェアラブル携帯型表示装置であることを特徴とする頭部装着型表示装置に関係する。
【００５３】
本発明の他の態様では、ウェアラブル携帯型表示装置と、前記ウェアラブル携帯型表示装置と通信接続される端末装置と、を含み、前記ウェアラブル携帯型表示装置は、第１の文章データを表示する第１の表示部と、前記第１の文章データの一部の文字又は単語について表示属性の変更処理を行う表示属性変更処理部と、前記第１の文章データを前記第１の表示部に表示する第１の表示制御部と、を有し、前記端末装置は、第２の文章データを表示する第２の表示部と、前記第２の文章データを前記第２の表示部に表示する第２の表示制御部と、を有し、前記ウェアラブル携帯型表示装置又は前記端末装置は、ユーザにより入力される操作情報を取得するユーザ操作情報取得部を有し、前記第１の表示制御部は、前記一部の文字又は単語の前記表示属性が変更された前記第１の文章データを前記第１の表示部に表示する制御を行い、前記第２の表示制御部は、前記第１の表示部に表示された前記第１の文章データに関連付けられた前記第２の文章データの表示指示を表す前記操作情報を、前記ユーザ操作情報取得部が取得した場合に、前記第２の文章データを前記第２の表示部に表示する制御を行う表示処理システムに関係する。
【００５４】
これにより、例えば、第１の文章データの内容についてより詳しい情報を表す第２の文章データを端末装置の第２の表示部に表示すること等が可能になる。
【００５５】
また、本発明の他の態様では、上記各部としてウェアラブル携帯型表示装置を機能させるプログラムに関係する。
【図面の簡単な説明】
【００５６】
【図１】第１の実施形態のシステム構成例。
【図２】図２（Ａ）〜図２（Ｅ）は、文章データの表示例。
【図３】フォントサイズを段々小さくする表示制御を行う手法の説明図。
【図４】属性設定情報に基づいて表示制御を行う手法の説明図。
【図５】第１の実施形態の処理の流れを説明するシーケンス図。
【図６】第２の実施形態のシステム構成例。
【図７】部分領域に属性設定情報を割り当てる手法の説明図。
【図８】図８（Ａ）〜図８（Ｄ）は、部分領域に基づいてフォントサイズを変更する手法の説明図。
【図９】図９（Ａ）、図９（Ｂ）は、頭部の動きに基づいて部分領域を設定する手法の説明図。
【図１０】図１０（Ａ）〜図１０（Ｃ）は、所定の期間だけ表示属性を変更する手法の説明図。
【図１１】図１１（Ａ）〜図１１（Ｃ）は、判定領域の説明図。
【図１２】図１２（Ａ）〜図１２（Ｄ）は、表示属性を変更する文字を決定する手法の説明図。
【図１３】第２の実施形態の処理の流れを説明するフローチャート。
【図１４】第３の実施形態のシステム構成例。
【発明を実施するための形態】
【００５７】
以下、第１の実施形態〜第３の実施形態について説明する。まず、各実施形態の背景と手法の概要をまとめて説明する。次に、実施形態毎にシステム構成例と手法、処理の流れを詳細に説明する。なお、以下に説明する各実施形態は、特許請求の範囲に記載された本発明の内容を不当に限定するものではない。また各実施形態で説明される構成の全てが、本発明の必須構成要件であるとは限らない。
【００５８】
１．概要
近年、ミニブログの利用者（ユーザ）が急速に増加している。そして、これらのミニブログのユーザは、携帯型の情報端末装置から、ミニブログに投稿された文章を読むことが多くなってきている。デスクトップＰＣ（Personal Computer）やノートＰＣの表示部（ディスプレイ）と比べて、携帯型の情報端末装置の表示部は表示領域が小さい場合がほとんどであるため、ユーザが文章を読みやすいように文字を表示することが望ましい。
【００５９】
さらに、携帯型の情報端末装置としてＨＭＤ（Head Mounted Display：ヘッドマウントディスプレイ、頭部装着型表示装置）を用いることも考案されている。ＨＭＤに文章等を表示する場合にもユーザが読みやすいように表示制御を行うことが望ましい。例えば、文字の視認性を向上させたり、表示領域を効率的に使用したりする工夫をすれば、よりユーザが読みやすいように、文章データを表示することができる。
【００６０】
具体的に、前述した特許文献１において開示される発明では、そのような表示制御の一つとして、所定の条件を満たすＭＴＦ（Modulation Transfer Function）特性を有する表示位置を評価し、ユーザが判読しやすい文字位置と文字サイズを決定する表示制御を行っている。
【００６１】
ここで、外界視野と文字を重畳して表示部に表示するＨＭＤは、例えばユーザが街中にいる場合やユーザが移動中である場合にも用いられることが多いと考えられる。外界視野と文字を重畳して表示部に表示するＨＭＤは、スマートフォン等の手持ち型の情報端末装置と違い、ユーザが文章データを読む際に視線を手元に移す必要がない。そのため、文章データを読んでいる際でも、頭部の向きを変えずに視線だけを動かして、素早く前方に注意を向け直すことができるため、便利である。
【００６２】
しかし、文字が外界視野と同じ方向に表示されていても、ユーザが実際に文章データを読む際には、表示される文字に意識が集中してしまい、外界への注意が散漫になってしまうことが多い。つまり、外界視野と文字を重畳して表示部に表示するＨＭＤを用いる場合であっても、文章データと外界を同時に見ることは難しく、ユーザは、表示される文章データと外界に別々に意識を向ける必要があり、文章データだけにいつまでも意識を向けておくことはできない。
【００６３】
したがって、安全のためには、できるだけ早いタイミングで、表示部に表示された文章データの内容をユーザが把握できることが望ましい。また、文章データが長く、すぐに文章データ全体の内容を把握できない場合であっても、ユーザが今読むべき情報であるか否かをできるだけ早いタイミングで判別できれば良い。
【００６４】
例えば、前述したミニブログの例では、ユーザが投稿された文章データの投稿者名だけを素早く判別することができれば、今すぐにしっかり読むべき情報か、読み飛ばしても良い情報かを早いタイミングで判断することができるようになる。同様に、メールを受信した場合には、メールの送信者だけを素早く判別できればよいし、他にも、例えばニュース記事を表示する場合には、そのニュース記事の分野だけを先に判断することができれば、今すぐにしっかり読むべき情報かどうかを早いタイミングで判断することができるようになる。そして、今すぐにしっかり読むべき情報であるとユーザが判断した場合には、立ち止まるなどして文章データを確認し、読み飛ばしても良い情報であるとユーザが判断した場合には、早いタイミングで前方に注意を向け直すことができるようになる。
【００６５】
以下の第１の実施形態〜第３の実施形態によれば、より早いタイミングで、ユーザが表示部に表示される文章データを読むべきか否かを判断することができるウェアラブル携帯型表示装置、頭部装着型表示装置、表示処理システム及びプログラム等を提供することができる。
【００６６】
また、ウェアラブル携帯型表示装置の例としては、時計型若しくはペンダント型又は眼鏡型などの各種ウエアラブルディスプレイや、表示部を有する携帯型音楽機器や音声録音機器、デジタルカメラなどが挙げられる。ウェアラブル携帯型表示装置は、その他にも表示部を有する携帯可能な機器であればどのような機器であってもよい。以下の第１の実施形態〜第３の実施形態では、特にウェアラブル携帯型表示装置のうち、特に頭部装着型表示装置を例にあげて説明する。
【００６７】
２．第１の実施形態
２．１  システム構成例
次に、本実施形態の頭部装着型表示装置１００の構成例を図１に示す。頭部装着型表示装置１００は、表示部１１０と、表示制御部１２０と、表示属性変更処理部１９０と、情報取得部１３０と、属性設定情報記憶部１４０と、を含む。なお、頭部装着型表示装置１００は、図１の構成に限定されず、これらの一部の構成要素を省略したり、他の構成要素を追加したりするなどの種々の変形実施が可能である。
【００６８】
次に各部の接続について説明する。表示制御部１２０は、表示部１１０に接続されている。表示属性変更処理部１９０は、表示制御部１２０に接続されている。情報取得部１３０は、表示属性変更処理部１９０と属性設定情報記憶部１４０とに接続されている。属性設定情報記憶部１４０は、表示属性変更処理部１９０に接続されている。そして、端末装置２００、サーバ装置３００及び記憶装置４００のうちのいずれかが、情報取得部１３０に接続されている。
【００６９】
次に各部で行われる処理について説明する。
【００７０】
まず、表示部１１０は、後述する表示制御部１２０の表示制御に従って文章データを表示する。表示部１１０は、例えば液晶ディスプレイや有機ＥＬディスプレイ、電子ペーパーなどにより実現できる。また、表示部１１０は、ハーフミラー等の偏向部やユーザの目に直接、表示画像を投影する投影部であってもよい。
【００７１】
次に、表示制御部１２０は、文章データを表示部１１０に表示する制御を行う。
【００７２】
そして、表示属性変更処理部１９０は、文章データに含まれる文字について表示属性の変更処理等を行う。なお、表示属性変更処理部１９０及び表示制御部１２０の機能は、各種プロセッサー（ＣＰＵ等）、ＡＳＩＣ（ゲートアレイ等）などのハードウェアや、プログラムなどにより実現できる。
【００７３】
さらに、情報取得部１３０は、後述する端末装置２００と、サーバ装置３００と、記憶装置４００のうち、少なくともいずれか一つと有線又は無線通信により接続されており、属性設定情報及び属性設定情報の識別子等を取得する。なお、情報取得部１３０は、端末装置２００と、サーバ装置３００と、記憶装置４００のうち、必ずしもどれか一つから属性設定情報及び識別子等を取得するとは限られず、端末装置２００と、サーバ装置３００と、記憶装置４００のうちの二つ又は三つ全てから、属性設定情報及び識別子等をそれぞれ取得してもよい。
【００７４】
また、属性設定情報記憶部１４０は、取得した属性設定情報を記憶する。属性設定情報記憶部１４０の機能は、ＲＡＭ等のメモリやＨＤＤなどにより実現できる。
【００７５】
次に、端末装置２００は、例えばスマートフォンやＰＤＡ等の携帯型の端末装置（電子機器）である。他にも、端末装置２００は、ＰＣ（Personal Computer）やデジタルオーディオプレーヤー、ゲーム機、カーナビゲーションシステムなどの電子機器であってもよい。また、サーバ装置３００は、情報取得部１３０とネットワークを介して通信接続される。記憶装置４００は、外付けＨＤＤやＵＳＢメモリ等のことを指す。
【００７６】
２．２  手法
次に、本実施形態の手法について説明する。
【００７７】
以上の本実施形態の頭部装着型表示装置１００は、文章データを表示する表示部１１０と、文章データの一部の文字又は単語について表示属性の変更処理を行う表示属性変更処理部１９０と、一部の文字又は単語の表示属性が変更された文章データを表示部１１０に表示する制御を行う表示制御部１２０と、を含む。
【００７８】
なお、以下では、主に文章データに含まれる文字について表示属性を変更する例を説明するが、文章データに含まれる単語（ワード）についても同様に、表示属性を変更することが可能である。また、複数の単語の表示属性を変更することにより、イディオムや文節、検索キーワード単位で表示属性を変更することも可能である。このことは、後述する第２の実施形態及び第３の実施形態においても同様である。
【００７９】
ここで、文章データとは、文字情報により構成されるデータのことをいう。例えば、文章データは、ミニブログに投稿された文章と投稿者名、ニュース記事、メールと送信者名などのことを指し、その他にもナビゲーション情報や道路案内情報、操作指示情報などを表す文章のデータ等のことを指す。また、文章データは、文章を表す画像データであってもよい。
【００８０】
また、表示属性とは、文章データに含まれる文字を表示部１１０に表示する際の文字の表示態様を表す情報のことをいう。例えば、フォントサイズ、文字の色、文字の太さ、フォントタイプ、文字のスクロールスピード、文字の表示位置、文字の表示時間などが、表示属性の具体例である。
【００８１】
これにより、ユーザは、表示属性を変更された文章データの一部の文字を、より容易に識別することができるようになる。
【００８２】
その結果、ユーザは、識別した文章データの一部の文字から、文章データ全体の内容を推測することが可能になる。また、文章データが長く、文章データ全体の内容を推測することが困難な場合であっても、識別した文章データの一部の文字から、文章データが今すぐに読むべき情報であるか、そうでない情報であるかを、より早いタイミングで判別することが可能になる。
【００８３】
また、後述する図２（Ｂ）に示すように、表示属性変更処理部１９０は、文章データの一部の文字又は単語である文章データの先頭から所定数の文字又は単語について、フォントサイズの変更処理を行ってもよい。
【００８４】
例えば、前述したミニブログの文章データをユーザが閲覧する際には、通常であれば図２（Ａ）のように、投稿者名の後に、その投稿者により投稿された文章データが表示部ＤＳに表示される。
【００８５】
一方、図２（Ｂ）の例では、投稿された文章データの一部の文字である文章データの先頭二文字に対して、表示属性の一つであるフォントサイズを変更する処理を行い、フォントサイズを変更した文字を表示部ＤＳに表示している。
【００８６】
本例のようなミニブログの例では、ユーザは特に投稿者名を見て、今読むべき情報か否かを判別することが多い。そのため、本例のように投稿者名のフォントサイズを通常よりも大きくすれば、より早いタイミングで、ユーザが表示部１１０に表示される文章データを今読むべきか否か判別すること等が可能になる。
【００８７】
また、図３のようなニュース記事を表示する場合には、ユーザは、「経済」や「政治」などのニュースの分野を表す言葉から、文章データの概要を推測することが多い。そのため、ニュース記事を表示する場合には、ニュースの分野を表す言葉のフォントサイズを大きくして、文章の先頭に配置して表示してもよい。なお、図３は、表示部ＤＳに文章データをスクロール表示する例を示している。タイミングＴ１及びＴ２では、表示部ＤＳには「経済」という文字が表示されており、タイミングＴ２後にスクロールを開始して、タイミングＴ３には「日経」、タイミングＴ４には「平均」、タイミングＴ５には「１００００円台」という文字が表示部ＤＳに表示されている様子を示している。
【００８８】
また、日本語は漢字など一文字で意味が分かる言葉が多い。例えば、ニュース記事で「政」という文字を見れば、そのニュース記事が「政治」に関する記事であることが推測できる。他にも、ユーザが日頃からチェックしているミニブログ等では、投稿者名の先頭一文字の「山」という字を見れば、「山田」さんの投稿であると判別することもできる。
【００８９】
そこで、表示属性変更処理部１９０は、文章データのうちの一文字に対して、フォントサイズの変更処理を行ってもよい。
【００９０】
これにより、例えば文章データの中で、その文章データの内容を端的に表す一文字の表示属性を変更すること等が可能になる。
【００９１】
一方、例えば英語では、アルファベット一文字で文章の内容を推測することはほぼ不可能であるため、英語の文章データを表示する場合には、ワード単位で表示属性を変更することが望ましい。
【００９２】
また、表示属性変更処理部１９０は、文章データのうちの第１の文字又は第１の単語を第１の表示属性に設定し、文章データのうちの第１の文字と異なる第２の文字又は第１の単語と異なる第２の単語を、第１の表示属性と異なる第２の表示属性に設定する表示属性の変更処理を行ってもよい。
【００９３】
例えば、図２（Ｃ）のように、第１の文字ＷＤ１である「山」を、第１の表示属性であるフォントサイズ７２ｐｔで表示し、第１の文字ＷＤ１と異なる第２の文字ＷＤ２である「今」を、第２の表示属性であるフォントサイズ６６ｐｔで表示する。なお、図２（Ｃ）は、表示部ＤＳに表示される文字がＳＣ方向にスクロールする様子を示している。また、本例では、第１の表示属性と第２の表示属性は異なる表示属性であるが、第１の表示属性と第２の表示属性は同じ表示属性であってもよい。
【００９４】
これにより、文章データのうちの少なくとも二つの文字の表示属性を変えること等が可能になる。このように文字（文字列）毎に表示属性を変えることができれば、文字（文字列）毎に強調度合いを調整し、ユーザの文字の認識し易さを調整すること等が可能になる。
【００９５】
具体的には、強調したい文字のフォントサイズをより大きくすることなどができる。また、強調する文字を文章の先頭に配置した方が、より早いタイミングで文章全体の内容を推測したり、今すぐに読むべき情報か否かを判断することが容易になる。
【００９６】
したがって、表示属性変更処理部１９０は、文章データのうちの第１の文字又は第１の単語を第１のフォントサイズに設定し、文章データのうちの第１の文字より後ろの第２の文字又は第１の単語より後ろの第２の単語を、第１のフォントサイズよりも小さい第２のフォントサイに設定する表示属性の変更処理を行ってもよい。
【００９７】
これにより、より早いタイミングで、ユーザが文章全体の内容を推測したり、今すぐに読むべき情報か否かを判断することを、より容易にすること等が可能になる。
【００９８】
以上のように、大きいフォントサイズで表示されている文頭の文字に対しては、ユーザに注意を向けさせて、早いタイミングで表示中の文章データが今すぐに読むべきか否かをユーザに判断させるが、表示されている文字にいつまでも注意を向けさせてしまうと、前方への注意が疎かになってしまう可能性がある。
【００９９】
そこで、図２（Ｃ）や図３の例のように、表示属性変更処理部１９０は、文章データの文頭から文末に行くに従い、フォントサイズが小さくなるように表示属性の変更処理を行ってもよい。
【０１００】
このように、表示される文字のフォントサイズが小さくなれば、自然にユーザの注意は外界へ向くことが多い。逆に、フォントサイズが小さくなってからも、ユーザがその文章を読みたいと思っている場合には、立ち止まるなどして、安全を確保した上で読むことができる。
【０１０１】
これにより、表示部１１０に表示される文字に対して、ユーザの注意をいつまでも向けさせないこと等が可能になる。
【０１０２】
また、表示属性変更処理部１９０は、文章データに含まれる文字又は単語を表示制御部１２０が表示部１１０に表示する場合には、表示される文字又は単語について表示属性の変更処理を行って、文章データに含まれる特定の約物を表示制御部１２０が表示部１１０に表示する場合には、表示される特定の約物について表示属性の変更処理を行わずに、特定の約物を表示部１１０に表示してもよい。
【０１０３】
ここで、約物とは、言語の記述に使用する記述記号類の総称のことを指す。また、特定の約物とは、表示属性の変更処理の対象外の約物として、あらかじめ指定された約物であり、例えば、句読点や疑問符、括弧、アクセントなどのことを指す。一方で、約物のうち、「々」などの踊り字は、文字と同様に表示属性の変更処理の対象としてもよい。
【０１０４】
これにより、文章全体の意味を表すことが少ない特定の約物を強調せずに表示することができ、文章全体の意味を表す文字を相対的により強調して表示すること等が可能になる。
【０１０５】
また、その他の例として、図２（Ｄ）に示すように、ミニブログの投稿者名「山田」をローマ字表記の「ＹＡＭＡＤＡ」に変更したり、図２（Ｅ）に示すように、ミニブログに関する文章データを表示している際に、投稿者を表すアイコン画像を背景画像ＰＩＭとして表示するなどしてもよい。なお、日本語表記からローマ字表記に変更したり、背景画像を表示したりすることは、ミニブログの例だけではなく、他の例において行ってもよい。
【０１０６】
また、本実施形態では、具体的には以下の手法により、前述してきた表示制御を実現する。
【０１０７】
すなわち、本実施形態の頭部装着型表示装置１００は、頭部装着型表示装置１００の外部から文章データの文字又は単語の属性設定情報を取得する情報取得部１３０を含んでもよい。そして、表示属性変更処理部１９０は、取得された属性設定情報に基づいて、文章データの文字又は単語について表示属性の変更処理を行ってもよい。
【０１０８】
ここで、属性設定情報とは、文字又は単語の表示属性を表す情報のことをいう。
【０１０９】
具体的に図４の例では、ＰＦ―１〜ＰＦ―ｎの属性設定情報を用いる例を示している。例えば、図４の属性設定情報ＰＦ―１は、１文字目から５文字目までの文字に対して、フォントタイプをゴシックＢ（Ｂはボールド体の略）に、フォントサイズを４０ｐｔに設定して、毎秒画面の３０パーセント分を進む速度で、右から左へ自動でスクロール表示し、６文字目以降の文字に対しては、フォントタイプを明朝に、フォントサイズを２０ｐｔに設定して、毎秒画面の５０パーセント分を進む速度で、右から左へ自動でスクロール表示することを示している。
【０１１０】
また、属性設定情報は、頭部装着型表示装置１００の外部の装置、例えば端末装置２００やサーバ装置３００、記憶装置４００などから、あらかじめ用意されていたものを取得するものであってもよいし、ユーザインタフェース部などを介してユーザにより入力され、設定されたものであってもよい。
【０１１１】
これにより、文章データの文字の表示属性を、使用する属性設定情報により変更すること等が可能になる。属性設定情報は、例えば、図４に示すＰＦ―１のような形式で容易に作成できるため、表示属性の変更も容易である。
【０１１２】
また、本実施形態の頭部装着型表示装置１００は、情報取得部１３０により取得された属性設定情報を記憶する属性設定情報記憶部１４０を含んでもよい。そして、情報取得部１３０は、文章データに関連付けられた属性設定情報の識別子を取得してもよい。さらに、表示属性変更処理部１９０は、取得された識別子に関連付けられた属性設定情報に基づいて、文章データについて表示属性の変更処理を行ってもよい。
【０１１３】
例えば図４の例では、属性設定情報ＰＦ―１〜ＰＦ―ｎを、属性設定情報記憶部ＤＢに記憶しておく。そして、文章データＴＤを取得する際に、属性設定情報の識別子も取得する。
【０１１４】
ここで、属性設定情報の識別子とは、属性設定情報のうちのいずれかを指し示す情報のことをいう。例えば、属性設定情報の識別子は、各属性設定情報に割り振られた番号や、属性設定情報が記憶されている場所へのリンク情報等のことを指す。
【０１１５】
次に、属性設定情報記憶部ＤＢに記憶された属性設定情報ＰＦ―１〜ＰＦ―ｎの中から、取得した識別子ＤＩＦが示す属性設定情報を取得する。本例では、識別子ＤＩＦとして「３」を取得しているため、識別子「３」に対応する属性設定情報ＰＦ―３を取得する。
【０１１６】
そして、取得した属性設定情報ＰＦ―３に基づいて、表示部ＤＳに文章データＴＤを表示する。
【０１１７】
これにより、文章データを表示する度に、逐一、属性設定情報を取得する必要がなくなり、頭部装着型表示装置１００と外部機器との通信量の削減を図ること等が可能になる。
【０１１８】
また、本実施形態の頭部装着型表示装置１００は、文章データの文字又は単語の第１の属性設定情報と、第１の属性設定情報と異なる第２の属性設定情報とを記憶する属性設定情報記憶部１４０を含んでもよい。そして、表示属性変更処理部１９０は、所定のタイミングまでは、第１の属性設定情報に基づいて文章データについて表示属性の変更処理を行い、所定のタイミング以降は、第２の属性設定情報に基づいて文章データについて表示属性の変更処理を行ってもよい。
【０１１９】
これにより、時間経過に伴って、同一の文字に対する表示属性を変更すること等が可能になる。
【０１２０】
また、表示属性変更処理部１９０は、フォントサイズ、文字の色、文字の太さ又はフォントタイプを表す属性設定情報に基づいて、文章データについて表示属性の変更処理を行ってもよい。
【０１２１】
これにより、文章データの文字のフォントサイズ、文字の色、文字の太さ又はフォントタイプを変更すること等が可能になる。
【０１２２】
また、表示制御部１２０は、所定タイミングまでは、文章データに含まれる文字又は単語をスクロール表示せずに表示部１１０に表示し、所定タイミング以降に文章データに含まれる文字又は単語のスクロール表示を開始してもよい。
【０１２３】
これにより、例えば、文章データの文頭部分を長く表示すること等が可能になる。その結果、例えばユーザが表示部１１０から一時的に視線を逸らしていた場合であっても、ユーザが文章データの内容を推測し損なったり、今すぐに読むべきか否かを判断し損なったりする可能性を低くすること等が可能になる。
【０１２４】
また、表示部１１０は、文章データを外界視野と重畳して表示してもよい。
【０１２５】
これにより、ユーザは、文章データと外界のうち、注意して見る対象を素早く切り替えること等が可能になる。
【０１２６】
２．３  処理の流れ
次に、図５のシーケンス図を用いて、本実施形態の処理の流れを説明する。
【０１２７】
まず、情報取得部１３０が属性設定情報を取得する（Ｔ１０１）。この時、情報取得部１３０は、複数の属性設定情報を取得してもよい。
【０１２８】
次に、属性設定情報記憶部１４０は、属性設定情報を情報取得部１３０から取得し（Ｔ１０２）、取得した属性設定情報を記憶する（Ｔ１０３）。
【０１２９】
そして、情報取得部１３０は、文章データと識別子を取得する（Ｔ１０４）。この時、情報取得部１３０は、一つの文章データにつき一つの識別子を取得してもよいし、一つの文章データにつき複数の識別子を取得してもよい。
【０１３０】
次に、表示属性変更処理部１９０は、情報取得部１３０から識別子を取得し（Ｔ１０５）、取得した識別子に対応する属性設定情報を属性設定情報記憶部１４０から読み出す（Ｔ１０６、Ｔ１０７）。なお、タイミングＴ１０４において、一つの文章データにつき複数の識別子を取得した場合には、例えば、第１の期間には第１の識別子が示す属性設定情報を読み出し、第２の期間には第２の識別子が示す属性設定情報を読み出す。
【０１３１】
さらに、表示属性変更処理部１９０は、情報取得部１３０から文章データを取得し（Ｔ１０８）、タイミングＴ１０７において取得した属性設定情報を用いて、取得した文章データの表示属性を変更する（Ｔ１０９）。
【０１３２】
そして、表示制御部１２０は、表示属性を変更した文章データを表示部１１０に表示する（Ｔ１１０、Ｔ１１１）。
【０１３３】
３．第２の実施形態
３．１  システム構成例
次に、第２の実施形態の頭部装着型表示装置１００の構成例を図６に示す。頭部装着型表示装置１００は、表示部１１０と、表示制御部１２０と、表示属性変更処理部１９０と、部分領域設定部１５０と、モーションセンサー信号取得部１６０と、を含む。なお、頭部装着型表示装置１００は、図６の構成に限定されず、これらの一部の構成要素を省略したり、他の構成要素を追加したりするなどの種々の変形実施が可能である。
【０１３４】
次に各部の接続について説明する。表示制御部１２０は、表示部１１０に接続されている。表示属性変更処理部１９０は、表示制御部１２０に接続されている。部分領域設定部１５０は、表示属性変更処理部１９０に接続されている。モーションセンサー信号取得部１６０は、部分領域設定部１５０に接続されている。そして、モーションセンサー５００は、モーションセンサー信号取得部１６０に接続されている。
【０１３５】
次に各部で行われる処理について説明する。表示部１１０、表示制御部１２０、表示属性変更処理部１９０の機能は、第１の実施形態と同様であるため、説明を省略する。
【０１３６】
まず部分領域設定部１５０は、後述する部分領域を表示領域に設定する。なお、部分領域設定部１５０の機能は、各種プロセッサー（ＣＰＵ等）、ＡＳＩＣ（ゲートアレイ等）などのハードウェアや、プログラムなどにより実現できる。
【０１３７】
次に、モーションセンサー信号取得部１６０は、モーションセンサー５００からモーションセンサー信号を取得する。モーションセンサー信号取得部１６０は、モーションセンサー５００と通信を行う通信部であってもよい。
【０１３８】
そして、モーションセンサー５００は、モーションセンサー信号を検出し、モーションセンサー信号取得部１６０とモーションセンサー信号の送受信処理を行う。モーションセンサー５００は、例えば加速度センサーである。その場合には、モーションセンサー信号として加速度センサー信号を検出する。加速度センサーは、例えば外力によって抵抗値が増減する素子等で構成され、三軸の加速度情報を検知する。また他にも、加速度センサーは、三軸の力に加えて、三軸の周りのモーメントを検出する六軸の加速度センサーであってもよい。さらに、モーションセンサーは、加速度センサーに限定されず、地磁気センサー等の方位センサーやジャイロセンサー等であってもよい。方位センサーは、センサーの向いている方位を角度（０°〜３６０°）で計測する。地磁気センサーは、例えば磁場の強さによって抵抗値やインピーダンス値が増減する素子等で構成され、三軸の地磁気情報を検知する。また、地磁気センサーや加速度センサー、ジャイロセンサーの機能を併せ持つセンサーを用いてもよい。
【０１３９】
３．２  手法
次に、本実施形態の手法について説明する。
【０１４０】
以上の本実施形態の頭部装着型表示装置１００は、表示部１１０の表示領域よりも小さい領域であって、文章データの文字又は単語の属性設定情報が関連付けられている部分領域を表示領域に設定する部分領域設定部１５０を含んでもよい。そして、表示属性変更処理部１９０は、部分領域に関連付けられた属性設定情報に基づいて、文章データについて表示属性の変更処理を行ってもよい。
【０１４１】
例えば、部分領域の一例を図７に示す。図７では、表示部の表示領域ＤＳに複数の部分領域ＲＰ１〜ＲＰ５を設定している。また、各部分領域には、第１の実施形態において述べた属性設定情報が関連付けられている。さらに具体的には、部分領域ＲＰ１には、属性設定情報ＡＴ１が関連付けられており、属性設定情報ＡＴ１には、フォントタイプがゴシックＢで、フォントサイズが１８ｐｔの表示属性が定められている。他の部分領域についても同様に、図７に示す通りである。
【０１４２】
これにより、例えば、文章データの文字の表示位置が、ある部分領域内の所定の位置である場合に、その部分領域に関連付けられた属性設定情報に基づいて、文字の表示属性を変更すること等が可能になる。
【０１４３】
具体例を図８（Ａ）〜図８（Ｄ）に示す。図８（Ａ）〜図８（Ｄ）では、文章データがスクロール表示される例を示しており、表示領域ＤＳには、図７を用いて説明した部分領域ＲＰ１〜ＲＰ５が設定されているものとする。また、これらの部分領域ＲＰ１〜ＲＰ５には、図７の属性設定情報ＡＴ１〜ＡＴ５が関連付けられている。
【０１４４】
まず、図８（Ａ）では、右から文章データがスクロールされ、部分領域ＲＰ５内に位置している文字が、部分領域ＲＰ５に関連付けられた属性設定情報ＡＴ５に基づいて、表示属性を変更されて、表示部に表示される。具体的には、フォントタイプがゴシックＢで、フォントサイズ１８ｐｔで表示される。
【０１４５】
そして、図８（Ｂ）では、スクロールされて、部分領域ＲＰ４内に侵入した文字である「八」のフォントサイズが３２ｐｔに変更されて、表示部に表示される。
【０１４６】
さらに、図８（Ｃ）では、さらにスクロールされて、部分領域ＲＰ３内に侵入した文字である「八」のフォントサイズが４８ｐｔに、部分領域ＲＰ４内に侵入した文字である「王」と「子」のフォントサイズが３２ｐｔに変更されて、表示部に表示される。
【０１４７】
このように、本例では、表示領域ＤＳの中央にいくほどフォントサイズが大きくなるように、部分領域と属性設定情報の関連付けが行われているため、ユーザの正面の位置に表示される文字が最も大きく表示されることになる。よって、このように部分領域と属性設定情報を設定した場合には、ユーザの正面である画面中央に表示される文字を読みやすくすること等が可能になる。
【０１４８】
また、本実施形態の頭部装着型表示装置１００は、ユーザの体の動きを表すモーションセンサー信号をモーションセンサー５００から取得するモーションセンサー信号取得部１６０を含んでもよい。そして、部分領域設定部１５０は、取得されたモーションセンサー信号に基づいて、表示領域における部分領域の位置及び大きさのうち、少なくとも一方を設定してもよい。
【０１４９】
例えば、図９（Ａ）及び図９（Ｂ）にユーザの頭部の動きに基づいて、部分領域を設定する一例を示す。
【０１５０】
まず、本例では、モーションセンサーＳＥを頭部装着型表示装置１００に設け、取得されるモーションセンサー信号に基づいて、ユーザの頭部の動きＨＭを検出する。
【０１５１】
そして、検出した頭部ＨＭの動きに基づいて、部分領域の位置及び大きさの少なくとも一方を設定する。
【０１５２】
例えば、図９（Ｂ）の初期状態では、Ｐ１の位置に部分領域ＲＰが設定されていたものとする。この時に、ユーザの頭部が図９（Ａ）のＨＭのように右に動かされたことを検出した場合に、部分領域ＲＰの位置を位置Ｐ１から位置Ｐ２へ変更し、この後、ユーザの頭部がさらに右方向に動かされた場合には、部分領域ＲＰの位置を位置Ｐ２から位置Ｐ３へと変更する。
【０１５３】
また、図示していないが、部分領域の位置を変更するだけでなく、部分領域の大きさ、例えば部分領域の幅や高さなどを変更してもよい。
【０１５４】
なお、必ずしも、図７のように表示領域ＤＳの全ての領域がいずれかの部分領域に含まれるように、部分領域を設定しなければならないわけではなく、図９（Ｂ）のように、表示領域ＤＳの一部の領域に対してのみ部分領域を設定してもよい。
【０１５５】
これにより、ユーザは、表示属性を変更したい文字又は表示領域の一部の領域を、頭部を動かすことにより指定すること等が可能になる。
【０１５６】
また、変形例として、ユーザの頭部と体の両方に方位センサーを装着して、頭部方向と体方向をそれぞれ検出し、頭部方向と体方向の差分に基づいて、頭部の位置を特定し、特定した頭部の位置に基づいて、部分領域を設定してもよい。
【０１５７】
また、表示属性変更処理部１９０は、所与のタイミングまでは、部分領域に関連付けられた属性設定情報を用いて、文章データについて表示属性の変更処理を行い、所与のタイミング以降は、部分領域に関連付けられた属性設定情報を用いて、文章データについて表示属性の変更処理を行わなくてもよい。
【０１５８】
例えば、図１０（Ａ）に示すように、表示領域ＤＳに部分領域ＲＰが設定されており、文章データをスクロール表示する場合について説明する。
【０１５９】
この場合、所定のタイミングまでは、図１０（Ａ）や図１０（Ｂ）に示すように、部分領域ＲＰに関連付けられた属性設定情報に基づいて、部分領域ＲＰ内の文字の表示属性を変更して、表示部に表示する。所定のタイミングとは、例えば、文章データのスクロール表示を開始してから５秒後のタイミングなどである。ただし、これに限定されない。
【０１６０】
そして、所定のタイミング以降には、図１０（Ｃ）に示すように、図１０（Ａ）及び図１０（Ｂ）における部分領域ＲＰの位置に表示される文字であっても、表示属性を変更せずに、表示部に表示する。
【０１６１】
この際に、図１０（Ｃ）のように、所定のタイミング以降に部分領域ＲＰを消去又は設定解除して、表示属性を変更しないようにしてもよいし、部分領域ＲＰを設定したままであるが、部分領域ＲＰに関連付けられた属性設定情報を用いずに、表示部に文字を表示してもよい。
【０１６２】
これにより、所定のタイミング以降は文字の表示属性を変更せず、文字の強調表示を中止すること等が可能になる。よって、所定のタイミング以降、ユーザの注意を外界に戻すこと等が可能になる。
【０１６３】
具体的に、文章データの各文字に対して、どの部分領域に関連付けられた属性設定情報を用いるかは、以下のようにして判定する。
【０１６４】
例えば、部分領域と重複する文字を、その部分領域に関連付けられた属性設定情報を用いて表示属性を変更すればよいが、文字は文字毎に形や大きさが異なるため、実際に各文字と部分領域が重複しているか否かを判定する処理は、処理量が大きく、現実的ではない。
【０１６５】
そこで、表示属性変更処理部１９０は、表示領域に表示される文字又は単語に対して判定領域を設定し、判定領域と部分領域との間に重複領域が存在するか否かを判定し、重複領域が存在すると判定した場合には、判定領域と重複すると判定された部分領域に関連付けられた属性設定情報に基づいて表示属性の変更処理を行ってもよい。そして、表示制御部１２０は、判定領域に対応する文字又は単語を表示部１１０に表示してもよい。
【０１６６】
具体例を図１１（Ａ）〜図１１（Ｃ）を用いて説明する。まず、図１１（Ａ）に示すように、表示部の表示領域ＤＳに表示する文章データの各文字に対して、判定領域ＤＲ１〜ＤＲ１６を設定する。
【０１６７】
ここで、判定領域とは、文章データの文字に使用する属性設定情報を特定する場合に、判定領域が設定された文字と、任意の部分領域とが対応付けられるか否かを判定するために設定される領域のことをいう。また、判定領域は、バウンディングボックスとも呼ばれ、例えば文字全体を内部に含む矩形領域である。ただし、必ずしも判定領域が文字全体を内部に含む矩形領域であるとは限られず、他の形をした領域であってもよい。また、判定領域は、文字毎ではなく文字列毎に設定されてもよい。例えば、英語の文章データを表示する場合などには、ワード単位で判定領域を設定した方が良い。
【０１６８】
次に、図１１（Ａ）のように設定した判定領域ＤＲ１〜ＤＲ１６を用いて、図１１（Ｂ）のように左から順に、部分領域ＲＰと各判定領域との間に重複領域が存在するかを判定する。図１１（Ｂ）の例では、部分領域ＲＰは、判定領域ＤＲ９と判定領域ＤＲ１０の両方の判定領域との間に重複領域が存在するため、どちらか一文字だけの表示属性を変更する場合には、どちらの判定領域に対応する文字の表示属性を変更するかを決定する必要がある。この決定方法は、後に詳述する。
【０１６９】
そして、図１１（Ｂ）において、例えば判定領域ＤＲ９に対応する文字である「会」の表示属性を変更すると決定した場合には、部分領域ＲＰに関連付けられた属性設定情報を用いて、「会」の表示属性を変更して、図１１（Ｃ）のように文章データを表示する。なお、部分領域ＲＰに関連付けられている属性設定情報には、他の領域のフォントサイズよりも大きいフォントサイズが設定されているものとする。
【０１７０】
これにより、処理量を削減しながら、どの文字に対しても、同様の方法で、どの部分領域に関連付けられた属性設定情報を用いるか判定すること等が可能になる。
【０１７１】
また、表示属性変更処理部１９０は、文章データに含まれる文字又は単語を表示部１１０にスクロール表示させ、スクロール表示される文字又は単語に対して設定された判定領域と部分領域との間に重複領域が存在すると判定した場合に、判定領域と重複すると判定された部分領域に関連付けられた属性設定情報に基づいて表示属性の変更処理を行ってもよい。
【０１７２】
これにより、一度に表示領域に表示しきれない文章データに対しても、重複領域が存在するか否かを判定して、表示属性を変更すること等が可能になる。
【０１７３】
また、前述した図１１（Ｂ）のように、一つの部分領域に対して、二つの判定領域との間に重複領域が存在し、どちらか一文字だけの表示属性を変更する場合には、例えば以下のようにして、どちらの判定領域に対応する文字の表示属性を変更するかを決定する。
【０１７４】
すなわち、表示属性変更処理部１９０は、文字又は単語の第１の属性設定情報が関連付けられた第１の部分領域と、文字又は単語の第２の属性設定情報が関連付けられた第２の部分領域とが表示領域に設定されている場合に、判定領域が、第１の部分領域とは重複し、第２の部分領域とは重複しない場合には、第１の属性設定情報に基づいて文章データについて表示属性の変更処理を行い、判定領域が、第１の部分領域と重複し、第２の部分領域とも重複する場合には、第２の属性設定情報に基づいて文章データについて表示属性の変更処理を行ってもよい。
【０１７５】
ここで、第１の部分領域とは、表示領域内において、任意の位置・大きさ・形に設定できる部分領域の一つである。また、第２の部分領域とは、表示領域内において、第１の部分領域とは異なる位置に設定され、任意の大きさ・形に設定できる部分領域である。さらに、後述する第３の部分領域は、表示領域内において、第１の部分領域及び第２の部分領域とは異なる位置に配置され、任意の大きさ・形に設定できる部分領域である。なお、表示領域に設定する部分領域の数は、２つ又は３つに限定されない。また、本例では、部分領域同士は重複しないものとする。
【０１７６】
具体例を図１２（Ａ）及び図１２（Ｂ）を用いて説明する。まず、図１２（Ａ）の例では、３つの部分領域ＲＰ１〜ＲＰ３と、各文字を囲む１６個の判定領域ＤＲ１〜ＤＲ１６が設定されているものとする。
【０１７７】
例えば判定領域ＤＲ１１は、部分領域ＲＰ１（前述した第１の部分領域に相当）との間に重複領域ＡＲ１（重複領域ＡＲ１は判定領域ＤＲ１１全体と等しい）を有し、部分領域ＲＰ２及び部分領域ＲＰ３（前述した第２の部分領域に相当）との間に重複領域を有さない。よって、図１２（Ｂ）のように、判定領域ＤＲ１１に対応する文字「Ｔ」は、部分領域ＲＰ１に関連付けられた属性設定情報（前述した第１の属性設定情報に相当）に基づいて表示属性を変更する。
【０１７８】
一方、判定領域ＤＲ１０は、部分領域ＲＰ１（前述した第１の部分領域に相当）との間に重複領域ＡＲ２を有し、部分領域ＲＰ２（前述した第２の部分領域に相当）との間に重複領域ＡＲ３を有している。よって本例では、判定領域ＤＲ１０に対応する文字「議」に対して、図１２（Ｂ）のように、部分領域ＲＰ２に関連付けられた属性設定情報（前述した第２の属性設定情報に相当）に基づいて表示属性を変更して表示する。
【０１７９】
同様に、判定領域ＤＲ９は、部分領域ＲＰ２（前述した第１の部分領域に相当）との間に重複領域ＡＲ４を有し、部分領域ＲＰ３（前述した第２の部分領域に相当）との間に重複領域ＡＲ５を有している。よって本例では、判定領域ＤＲ９に対応する文字「会」に対して、図１２（Ｂ）のように、部分領域ＲＰ３に関連付けられた属性設定情報（前述した第２の属性設定情報に相当）に基づいて表示属性を変更して表示する。
【０１８０】
これにより、スクロールされて、新たに部分領域と判定領域が重複するようになった場合に、新たに重複した部分領域に関連付けられた属性設定情報を用いて、表示属性を変更すること等が可能になる。
【０１８１】
また他にも、表示属性変更処理部１９０は、文字又は単語の第１の属性設定情報が関連付けられた第１の部分領域と、文字又は単語の第２の属性設定情報が関連付けられた第２の部分領域とが表示領域に設定されている場合に、判定領域と第１の部分領域とが重複する第１の重複領域が、判定領域と第２の部分領域とが重複する第２の重複領域よりも大きいと判定した場合には、第１の属性設定情報に基づいて文章データについて表示属性の変更処理を行い、第２の重複領域が１の重複領域よりも大きいと判定した場合には、第２の属性設定情報に基づいて文章データについて表示属性の変更処理を行ってもよい。
【０１８２】
具体例を図１２（Ａ）及び図１２（Ｃ）を用いて説明する。前述したように図１２（Ａ）においては、判定領域ＤＲ１０は、部分領域ＲＰ１との重複領域ＡＲ２（前述した第１の重複領域に相当）と、部分領域ＲＰ２との重複領域ＡＲ３（前述した第２の重複領域に相当）を有している。この時、重複領域ＡＲ２と重複領域ＡＲ３を比較すると、重複領域ＡＲ２の方が重複領域ＡＲ３よりも大きい。そのため本例では、図１２（Ｃ）に示すように、判定領域ＤＲ１０に対応する文字「議」を、部分領域ＲＰ１に関連付けられた属性設定情報（前述した第１の属性設定情報に相当）に基づく表示属性で表示する。
【０１８３】
同様に、判定領域ＤＲ９は、部分領域ＲＰ２との重複領域ＡＲ４（前述した第１の重複領域に相当）と、部分領域ＲＰ３との重複領域ＡＲ５（前述した第２の重複領域に相当）を有している。この時、重複領域ＡＲ４と重複領域ＡＲ５を比較すると、重複領域ＡＲ４の方が重複領域ＡＲ５よりも大きい。そのため本例では、図１２（Ｃ）に示すように、判定領域ＤＲ９に対応する文字「会」を、部分領域ＲＰ２に関連付けられた属性設定情報（前述した第１の属性設定情報に相当）に基づく表示属性で表示する。
【０１８４】
これにより、判定領域との間で重複領域がより大きい部分領域に関連付けられた属性設定情報を用いて、表示属性を変更すること等が可能になる。
【０１８５】
また、表示属性変更処理部１９０は、属性設定情報に基づいて文章データに含まれる文字又は単語のフォントサイズを拡大する場合には、フォントサイズを拡大した文字又は単語に対応する判定領域を拡大し、拡大した判定領域と部分領域との間に重複領域が存在するか否かを判定してもよい。
【０１８６】
例えば、図１２（Ｄ）に示すように、判定領域ＤＲ９に対応する文字のフォントサイズを大きくした場合には、拡大した文字に合わせて判定領域ＤＲ９自体も大きくする。
【０１８７】
これにより、文字の表示属性を変更するタイミングを、表示される文字の見た目から推測されるタイミングと一致させること等が可能になる。
【０１８８】
３．３  処理の流れ
次に、図１３のフローチャートを用いて、本実施形態の処理の流れを説明する。
【０１８９】
まず、表示制御部１２０が文章データを取得し（Ｓ１０１）、部分領域設定部１５０が部分領域を設定する（Ｔ１０２）。部分領域は、前述したようにモーションセンサー信号に基づいて設定してもよいし、あらかじめ設定された配置位置に設定してもよい。
【０１９０】
そして、表示属性変更処理部１９０は、文章データの文字（文字列）に対して判定領域を設定し（Ｓ１０３）、設定された部分領域と、任意に選択した判定領域との間に重複領域（第１の重複領域）が存在するか否かを判定する（Ｓ１０４）。そして、表示属性変更処理部１９０は、重複領域が存在すると判定した場合には、さらに他の重複領域（第２の重複領域）が存在するか否かを判定する（Ｓ１０５）。
【０１９１】
ステップＳ１０５において第２の重複領域が存在すると判定した場合には、表示属性変更処理部１９０は、第１の重複領域と第２の重複領域のうち、面積が大きい方の重複領域に対応する部分領域を選択し（Ｓ１０６）、選択された部分領域に関連付けられた属性設定情報を特定する（Ｓ１０７）。なお、本例では、説明の簡略化のため、１つの判定領域が３つ以上の部分領域と同時に重複しないものとする。
【０１９２】
一方、ステップＳ１０５において第２の重複領域が存在しないと判定した場合には、表示属性変更処理部１９０は、第１の重複領域に対応する部分領域に関連付けられた属性設定情報を特定する（Ｓ１０７）。
【０１９３】
さらに、ステップＳ１０４において重複領域が存在しないと判定された場合には、表示属性変更処理部１９０は、その判定領域に対応する文字については、表示属性の変更処理を行わないため、属性設定情報の特定処理も行わない。
【０１９４】
そして、表示属性変更処理部１９０は、文章データのうち、現在、表示領域内に表示されている全ての文字について、ステップＳ１０４〜ステップＳ１０７の処理を実行済みであるか否かを判定し（Ｓ１０８）、文章データのうち、現在、表示領域内に表示されている全ての文字について、ステップＳ１０４〜ステップＳ１０７の処理を実行していないと判定した場合には、ステップＳ１０４〜ステップＳ１０７の処理を実行していない文字について、ステップＳ１０４〜ステップＳ１０７の処理を行う。
【０１９５】
一方、ステップＳ１０８において、文章データのうち、現在、表示領域内に表示されている全ての文字について、ステップＳ１０４〜ステップＳ１０７の処理を実行済みであると判定した場合には、表示属性変更処理部１９０が、特定された属性設定情報に基づいて文字（文字列）毎に表示属性を変更して、表示制御部１２０が文章データを表示部１１０に表示する（Ｓ１０９）。なお、表示属性変更処理部１９０は、属性設定情報が特定されなかった文字については、表示属性の変更処理を行わず、表示制御部１２０が表示部１１０にその文字を表示する。
【０１９６】
その後、表示制御部１２０は、文章データの全てをスクロール表示済みか否かを判定し（Ｓ１１０）、文章データの全てをスクロール表示済みであると判定した場合には、処理を終了する。
【０１９７】
一方、文章データの全てをスクロール表示済みでないと判定した場合には、文章データの文字のスクロール処理を行い（Ｓ１１１）、ステップＳ１０４の処理に戻る。
【０１９８】
４．第３の実施形態
４．１  システム構成例
次に、第３の実施形態の表示処理システムの構成例を図１４に示す。本実施形態の表示処理システムは、頭部装着型表示装置１００と端末装置２００とを含む。そして、頭部装着型表示装置１００は、第１の表示部１１０と、第１の表示制御部１２０と、表示属性変更処理部１９０と、ユーザ操作情報取得部１７０と、第１の通信部１８０と、を含む。一方、端末装置２００は、第２の表示部２１０と、第２の表示制御部２２０と、第２の通信部２５０と、を含む。なお、表示処理システム、頭部装着型表示装置１００及び端末装置２００は、図１４の構成に限定されず、これらの一部の構成要素を省略したり、他の構成要素を追加したりするなどの種々の変形実施が可能である。
【０１９９】
次に各部の接続について説明する。第１の表示制御部１２０は、第１の表示部１１０に接続されている。表示属性変更処理部１９０は、表示制御部１２０に接続されている。第１の通信部１８０は、表示属性変更処理部１９０に接続されている。ユーザ操作情報取得部１７０は、第１の通信部１８０に接続されている。第２の表示制御部２２０は、第２の表示部２１０に接続されている。第２の通信部２５０は、第２の表示制御部２２０に接続されている。そして、第１の通信部１８０及び第２の通信部２５０は、無線又は有線により互いに通信接続されている。
【０２００】
次に各部で行われる処理について説明する。第１の表示部１１０の機能は、第１の実施形態の表示部１１０（図１）の機能と同様であり、第１の表示制御部１２０の機能は、第１の実施形態の表示制御部１２０（図１）の機能と同様であるため、説明を省略する。また、表示属性変更処理部１９０も図１のものと同様であるため、説明を省略する。
【０２０１】
まず、ユーザ操作情報取得部１７０は、ユーザの操作情報を取得する。また、ユーザ操作情報取得部１７０は、操作部であってもよく、この場合には、例えばボタンやキーボード、マウス、タッチパネル等により構成されていてもよい。また、ユーザ操作情報取得部１７０は、例えば加速度センサーから加速度センサー信号を受信するものであってもよい。この場合には、ユーザ操作情報取得部１７０は、加速度センサー信号に基づいて、ユーザの体の傾き等を検出し、ユーザのジェスチャーを検出する等してもよい。なお、ユーザ操作情報取得部１７０は、図１４のように頭部装着型表示装置１００に含まれても良いし、端末装置２００に含まれても良い。
【０２０２】
そして、第１の通信部１８０と第２の通信部２５０は、例えば、Ｗｉｆｉ（登録商標）やＢｌｕｅｔｏｏｔｈ（登録商標）などの通信規格で互いに情報を送受信する。なお、第１の通信部１８０と第２の通信部２５０は、有線により通信を行うものであってもよく、無線により通信を行うものであってもよい。また、ユーザ操作情報取得部１７０と第１の通信部１８０は、同一の機能部であってもよいし、図１４のようにそれぞれ別の機能部であってもよい。
【０２０３】
次に、第２の表示部２１０は、後述する第２の表示制御部２２０の表示制御に従って第２の文章データ等を表示する。第２の表示部２１０は、例えば液晶ディスプレイや有機ＥＬディスプレイ、電子ペーパーなどにより実現できる。
【０２０４】
また、第２の表示制御部２２０は、第２の文章データを表示部２１０に表示する制御を行う。なお、第２の表示制御部２２０の機能は、各種プロセッサー（ＣＰＵ等）、ＡＳＩＣ（ゲートアレイ等）などのハードウェアや、プログラムなどにより実現できる。
【０２０５】
４．２  手法
以上の本実施形態の表示処理システムは、頭部装着型表示装置１００と、頭部装着型表示装置１００と通信接続される端末装置２００と、を含む。
【０２０６】
頭部装着型表示装置１００は、第１の文章データを表示する第１の表示部１１０と、第１の文章データの一部の文字又は単語について表示属性の変更処理を行う表示属性変更処理部１９０と、第１の文章データを第１の表示部１１０に表示する第１の表示制御部１２０と、を有する。一方、端末装置２００は、第２の文章データを表示する第２の表示部２１０と、第２の文章データを第２の表示部２１０に表示する第２の表示制御部２２０と、を有する。さらに、頭部装着型表示装置１００又は端末装置２００は、ユーザにより入力される操作情報を取得するユーザ操作情報取得部１７０を有する。
【０２０７】
そして、第１の表示制御部１２０は、一部の文字又は単語の表示属性が変更された第１の文章データを第１の表示部１１０に表示する制御を行う。
【０２０８】
これに対して、第２の表示制御部２２０は、第１の表示部１１０に表示された第１の文章データに関連付けられた第２の文章データの表示指示を表す操作情報を、ユーザ操作情報取得部１７０が取得した場合に、第２の文章データを第２の表示部２１０に表示する制御を行う。
【０２０９】
例えば、第２の文章データは、第１の文章データの内容について、より詳細な情報を表す文章データである。そして、ユーザが街中で頭部装着型表示装置１００の第１の表示部１１０に表示される第１の文章データを読んでおり、今読んでいる第１の文章データについて、さらに詳しい情報が知りたいと思ったとする。
【０２１０】
本例では、この時にユーザが、端末装置２００に第２の文章データを表示する指示を出す操作を行って、第２の文章データを読むことができる。なお、この際には、ユーザは、頭部装着型表示装置１００に設けられたユーザインタフェース部を操作して、端末装置２００の第２の表示部２１０に第２の文章データを表示する指示を出しても良いし、端末装置２００を直接操作して、第２の表示部２１０に第２の文章データを表示してもよい。また、第１の表示部１１０に第１の文章データを表示している間に、第２の表示部２１０が第２の文章データをすぐに表示できるように、第２の文章データをレディー状態にする（例えば、第２の文章データをＲＡＭ上に展開しておく）などしてもよい。
【０２１１】
これにより、頭部装着型表示装置１００の第１の表示部１１０に表示された第１の文章データをユーザが今すぐに読みたいと思った場合に、第１の文章データの内容についてより詳しい情報を表す第２の文章データを端末装置２００の第２の表示部２１０に表示すること等が可能になる。
【０２１２】
なお、本実施形態の頭部装着型表示装置１００及び表示処理システム等は、その処理の一部または大部分をプログラムにより実現してもよい。この場合には、ＣＰＵ等のプロセッサーがプログラムを実行することで、本実施形態の頭部装着型表示装置１００及び表示処理システム等が実現される。具体的には、情報記憶媒体に記憶されたプログラムが読み出され、読み出されたプログラムをＣＰＵ等のプロセッサーが実行する。ここで、情報記憶媒体（コンピューターにより読み取り可能な媒体）は、プログラムやデータなどを格納するものであり、その機能は、光ディスク（ＤＶＤ、ＣＤ等）、ＨＤＤ（ハードディスクドライブ）、或いはメモリー（カード型メモリー、ＲＯＭ等）などにより実現できる。そして、ＣＰＵ等のプロセッサーは、情報記憶媒体に格納されるプログラム（データ）に基づいて本実施形態の種々の処理を行う。即ち、情報記憶媒体には、本実施形態の各部としてコンピューター（操作部、処理部、記憶部、出力部を備える装置）を機能させるためのプログラム（各部の処理をコンピューターに実行させるためのプログラム）が記憶される。
【０２１３】
以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また、頭部装着型表示装置及び表示処理システムの構成、動作も本実施形態で説明したものに限定されず、種々の変形実施が可能である。
【符号の説明】
【０２１４】
１００  頭部装着型表示装置、１１０  表示部（第１の表示部）、
１２０  表示制御部（第１の表示制御部）、１３０  情報取得部、
１４０  属性設定情報記憶部、１５０  部分領域設定部、
１６０  モーションセンサー信号取得部、１７０  ユーザ操作情報取得部、
１８０  第１の通信部、１９０  表示属性変更処理部、２００  端末装置、
２１０  第２の表示部、２２０  第２の表示制御部、２５０  第２の通信部、
３００  サーバ装置、４００  記憶装置、５００  モーションセンサー
【図１】
2014056217.tif 000003
【図２】
2014056217.tif 000004
【図３】
2014056217.tif 000005
【図４】
2014056217.tif 000006
【図５】
2014056217.tif 000007
【図６】
2014056217.tif 000008
【図７】
2014056217.tif 000009
【図８】
2014056217.tif 000010
【図９】
2014056217.tif 000011
【図１０】
2014056217.tif 000012
【図１１】
2014056217.tif 000013
【図１２】
2014056217.tif 000014
【図１３】
2014056217.tif 000015
【図１４】
2014056217.tif 000016